(57)【要約】【課題】  所定の範囲内で互いに対して動かすことができるケーブル管理アーム及び接続部材を有するケーブル管理装置を提供すること。【解決手段】ケーブル管理装置は第１のケーブル管理アーム、第２のケーブル管理アーム、接続部材及びブロック部材を含む。第２のケーブル管理アームは第１のケーブル管理アームに対して可動である。接続部材は第１のケーブル管理アームに可動に接続されている。ブロック部材は接続部材と第１のケーブル管理アームとの結合領域に隣接して配置されるとともに、接続部材と第１のケーブル管理アームとの相対的な動きを限られた範囲に制限するために接続部材及び第１のケーブル管理アームの少なくとも一方と当接するように構成されている。【選択図】  図１
2019037115.tif 000002
【特許請求の範囲】
【請求項１】
第１のケーブル管理アームと、
前記第１のケーブル管理アームに対して可動な第２のケーブル管理アームと、
前記第１のケーブル管理アームに可動に接続される第１の接続部材と、
前記第１の接続部材と前記第１のケーブル管理アームとの結合領域に隣接して配置されるとともに、前記第１の接続部材と前記第１のケーブル管理アームとの相対的な動きを限られた範囲に制限するために前記第１の接続部材及び前記第１のケーブル管理アームの少なくとも一方と当接するように構成されたブロック部材と、
を含むケーブル管理装置。
【請求項２】
前記第１の接続部材は第１のシャフト部材により前記第１のケーブル管理アームの一端に枢結され、前記ブロック部材は前記第１のシャフト部材に隣接し、前記ブロック部材は前記第１の接続部材及び前記第１のケーブル管理アームの一方が境界位置に動かされた場合に前記第１の接続部材及び前記第１のケーブル管理アームの一方と当接するように構成された少なくとも１つの制限部を有する、請求項１に記載のケーブル管理装置。
【請求項３】
前記第１のケーブル管理アーム及び前記第２のケーブル管理アームは接続ベースを通じて互いに枢結されており、
前記ケーブル管理装置は前記第１のケーブル管理アーム及び前記第２のケーブル管理アームを支持するために前記接続ベースの底部に可動に接続される少なくとも１つの支持部材をさらに含む、請求項１に記載のケーブル管理装置。
【請求項４】
互いに可動に接続された第１のレール及び第２のレールを含む第１のスライドレールアセンブリと、
第１のケーブル管理装置であって、
第１のケーブル管理アームと、
前記第１のケーブル管理アームに対して可動な第２のケーブル管理アームと、
前記第１のケーブル管理アームに可動に接続されるとともに、前記第１のケーブル管理アームを前記第１のレールに接続するように構成された第１の接続部材と、
前記第１の接続部材と前記第１のケーブル管理アームとの結合領域に隣接して配置されるとともに、前記第１の接続部材と前記第１のケーブル管理アームとの相対的な動きを限られた範囲に制限するために前記第１の接続部材及び前記第１のケーブル管理アームの少なくとも一方と当接するように構成されたブロック部材と、
を含む第１のケーブル管理装置と、
を含む接続アセンブリ。
【請求項５】
前記第１の接続部材は第１のシャフト部材により前記第１のケーブル管理アームの一端に枢結され、前記ブロック部材は前記第１のシャフト部材に隣接し、前記ブロック部材は前記第１の接続部材及び前記第１のケーブル管理アームの一方とそれぞれ当接するように構成された第１の制限部及び第２の制限部を有する、請求項４に記載の接続アセンブリ。
【請求項６】
第２のシャフト部材により前記第２のケーブル管理アームの一端に枢結されるとともに前記第２のケーブル管理アームを前記第２のレールに接続するように構成された第２の接続部材をさらに含む、請求項５に記載の接続アセンブリ。
【請求項７】
前記第１のケーブル管理アーム及び前記第２のケーブル管理アームは接続ベースを通じて互いに枢結されており、前記接続アセンブリは前記第１のケーブル管理アーム及び前記第２のケーブル管理アームを支持するために前記接続ベースの底部に可動に接続される少なくとも１つの支持部材をさらに含む、請求項４に記載の接続アセンブリ。
【請求項８】
第２のスライドレールアセンブリ、第２のケーブル管理装置及び連結部材をさらに含み、
前記第２のスライドレールアセンブリは互いに可動に接続された第３のレール及び第４のレールを含み、
前記第２のケーブル管理装置は第３のケーブル管理アームと、該第３のケーブル管理アームに対して可動な第４のケーブル管理アームと、前記第３のケーブル管理アームの一端に枢結されるとともに前記第３のケーブル管理アームを前記第３のレールに接続するように構成された第３の接続部材と、前記第４のケーブル管理アームの一端に枢結されるとともに前記第４のケーブル管理アームを前記第４のレールに接続するように構成された第４の接続部材とを含み、
前記連結部材は前記第２のスライドレールアセンブリの第４のレール及び前記第１のスライドレールアセンブリの第２のレールに接続されている、請求項４に記載の接続アセンブリ。
【請求項９】
第１の側及び第２の側を有するラックと、
前記ラックの第１の側に取り付けられる第１のスライドレールアセンブリであって、該第１のスライドレールアセンブリは第１のレール及び第２のレールを少なくとも含み、該第１のレールは該第２のレールに対して可動である、第１のスライドレールアセンブリと、
前記ラックの第２の側に取り付けられる第２のスライドレールアセンブリであって、該第２のスライドレールアセンブリは第３のレール及び第４のレールを少なくとも含み、該第３のレールは該第４のレールに対して可動である、第２のスライドレールアセンブリと、
前記第１のスライドレールアセンブリと前記第２のスライドレールアセンブリとの間に取り付けられる保持物体であって、該保持物体は前記第１のスライドレールアセンブリの第１のレール及び前記第２のスライドレールアセンブリの第３のレールを通じて前記ラックに対して閉鎖位置と伸長位置との間で動かすことができる、保持物体と、
第１のケーブル管理装置であって、
第１の接続部材を通じて前記保持物体及び前記第１のスライドレールアセンブリの第１のレールの一方に取り外し可能に接続される第１のケーブル管理アームと、
前記第１のケーブル管理アームに枢結されるともに、前記ラック及び前記第１のスライドレールアセンブリの第２のレールの一方に取り外し可能に接続される第２のケーブル管理アームと、
前記第１の接続部材と前記第１のケーブル管理アームとの結合領域に隣接して配置されるとともに、前記第１の接続部材と前記第１のケーブル管理アームとの相対的な動きを限られた範囲に制限するために前記第１の接続部材及び前記第１のケーブル管理アームの少なくとも一方と当接するように構成されたブロック部材と、
を含む、第１のケーブル管理装置と、
を含むラックシステム。
【請求項１０】
第２のケーブル管理装置をさらに含み、
前記第２のケーブル管理装置は第３のケーブル管理アームと、該第３のケーブル管理アームに対して可動な第４のケーブル管理アームと、前記第３のケーブル管理アームに可動に接続されるとともに前記第３のケーブル管理アームを前記保持物体及び前記第２のスライドレールアセンブリの第３のレールの一方に取り外し可能に接続するように構成された第３の接続部材と、前記第４のケーブル管理アームに可動に接続されるとともに前記第４のケーブル管理アームを前記ラック及び前記第２のスライドレールアセンブリの第４のレールに取り外し可能に接続するように構成された第４の接続部材とを含む、請求項９に記載のラックシステム。
【発明の詳細な説明】
【技術分野】
【０００１】
本発明はケーブル管理機構に関し、より具体的にはケーブル管理装置及びラックシステムのための接続アセンブリに関する。
【背景技術】
【０００２】
ラックシステムは電子機器（例えばサーバー）が取り付けられたラックである。一般に、電子機器の両側にはそれぞれスライドレールアセンブリが設けられている。そのため、電子機器をラックから引き出すか又はラック内に押し込むことができるようにスライドレールアセンブリを通じて電子機器をラックに取り付けることができる。電子機器は通常電気ケーブルに接続されている。スライドレールアセンブリを通じて電子機器をラックから引き出すか又はラック内に押し込む場合、ケーブルを整理された形で保持及び管理するために複数のケーブル管理アームが必要になる。
【発明の概要】
【発明が解決しようとする課題】
【０００３】
しかしながら、一部の市場の要求では、ケーブル管理アームは対象物体に対して限られた範囲内で動かせることが求められている。したがって、市場の要求を満たすために信頼性の高いケーブル管理製品を開発することが重要である。
【課題を解決するための手段】
【０００４】
本発明は、所定の範囲内で互いに対して動かすことができるケーブル管理アーム及び接続部材を有するケーブル管理装置を提供することを目的とする。
【０００５】
本発明の一実施形態によれば、ケーブル管理装置は第１のケーブル管理アーム、第２のケーブル管理アーム、第１の接続部材及びブロック部材（blocking  member）を含む。第２のケーブル管理アームは第１のケーブル管理アームに対して可動である。第１の接続部材は第１のケーブル管理アームに可動に接続されている。ブロック部材は第１の接続部材と第１のケーブル管理アームとの結合領域に隣接して配置されるとともに、第１の接続部材と第１のケーブル管理アームとの相対的な動きが限られた範囲に制限されるように第１の接続部材及び第１のケーブル管理アームの少なくとも一方と当接するように構成されている。
【０００６】
本発明の別の実施形態によれば、接続アセンブリは第１のスライドレール及び第１のケーブル管理装置を含む。第１のスライドレールアセンブリは互いに可動に接続された第１のレール及び第２のレールを含む。第１のケーブル管理装置は第１のケーブル管理アームと、第２のケーブル管理アームと、第１の接続部材と、ブロック部材とを含む。第２のケーブル管理アームは第１のケーブル管理アームに対して可動である。第１の接続部材は第１のケーブル管理アームに可動に接続されている。ブロック部材は第１の接続部材と第１のケーブル管理アームとの結合領域に隣接して配置されるとともに、第１の接続部材と第１のケーブル管理アームとの相対的な動きを限られた範囲に制限するために第１の接続部材及び第１のケーブル管理アームの少なくとも一方と当接するように構成されている。
【０００７】
本発明の別の実施形態によれば、ラックシステムはラック、第１のスライドレールアセンブリ、第２のスライドレールアセンブリ、保持物体及び第１のケーブル管理装置を含む。ラックは第１の側及び第２の側を有する。第１のスライドレールアセンブリはラックの第１の側に取り付けられる。第１のスライドレールアセンブリは第１のレール及び第２のレールを少なくとも含み、第１のレールは第２のレールに対して可動である。第２のスライドレールアセンブリはラックの第２の側に取り付けられる。第２のスライドレールアセンブリは第３のレール及び第４のレールを少なくとも含み、第３のレールは第４のレールに対して可動である。保持物体は第１のスライドレールアセンブリと第２のスライドレールアセンブリとの間に取り付けられる。保持物体は第１のスライドレールアセンブリの第１のレール及び第２のスライドレールアセンブリの第３のレールを通じてラックに対して閉鎖位置（close  position）と伸長位置との間で動かすことができる。第１のケーブル管理装置は第１のケーブル管理アーム、第２のケーブル管理アーム及びブロック部材を含む。第１のケーブル管理アームは第１の接続部材を通じて保持物体及び第１のスライドレールアセンブリの第１のレールの一方に取り外し可能に接続される。第２のケーブル管理アームは第１のケーブル管理アームに枢結されるともに、ラック及び第１のスライドレールアセンブリの第２のレールの一方に取り外し可能に接続される。ブロック部材は第１の接続部材と第１のケーブル管理アームとの結合領域に隣接して配置されるとともに、第１の接続部材と第１のケーブル管理アームとの相対的な動きを限られた範囲に制限するために第１の接続部材及び第１のケーブル管理アームの少なくとも一方と当接するように構成されている。
【０００８】
様々な図面に図示する下記の好ましい実施形態の詳細な説明を読み終えた後、本発明の上記の目的及び他の目的が当業者に間違いなく明らかになる。
【図面の簡単な説明】
【０００９】
【図１】図１は、本発明の一実施形態に係るラックシステムを示す図である。
【図２】図２は、本発明の一実施形態に係る、ラックシステムの２つのスライドレールアセンブリ、２つのケーブル管理装置及び連結部材の分解図である。
【図３】図３は、本発明の一実施形態に係る、ケーブル管理アームから取り外された、接続部材を備えるケーブル管理装置を示す図である。
【図４】図４は、本発明の一実施形態に係るケーブル管理装置を示す図である。
【図５】図５は、本発明の一実施形態に係る、第１の状態にあるケーブル管理装置のケーブル管理アーム及び接続部材を示す図である。
【図６】図６は、本発明の一実施形態に係る、第２の状態になるように互いに対して動かされたケーブル管理装置のケーブル管理アーム及び接続部材を示す図である。
【図７】図７は、本発明の一実施形態に係る、第３の状態になるように互いに対して動かされたケーブル管理装置のケーブル管理アーム及び接続部材を示す図である。
【図８】図８は、本発明の一実施形態に係る、ラックに対して閉鎖位置から第１の位置に引き出された保持物体を示す図である。
【図９】図９は、ラックに対して第２の位置にさらに引き出された保持物体を示す図である。
【発明を実施するための形態】
【００１０】
図１及び図２は本発明の一実施形態に係るラックシステムを示す図である。ラックシステムはラック２０、第１のスライドレールアセンブリ２４、第２のスライドレールアセンブリ３０及び保持物体３６を含む。ラック２０は第１の側２２ａ及び第２の側２２ｂを有する。第１のスライドレールアセンブリ２４はラック２０の第１の側２２ａに取り付けられている。第１のスライドレールアセンブリ２４は、互いに可動に接続された第１のレール２６及び第２のレール２８を少なくとも含む。本実施形態では、第２のレール２８はラック２０の第１の側２２ａに固定取り付けされ、第１のレール２６は第２のレール２８に対して可動である。第２のスライドレールアセンブリ３０はラック２０の第２の側２２ｂに取り付けられている。第２のスライドレールアセンブリ３０及び第１のスライドレールアセンブリ２４は実質的に平行に配置されている。第２のスライドレールアセンブリ３０は互いに可動に接続された第３のレール３２及び第４のレール３４を少なくとも含む。本実施形態では、第４のレール３４はラック２０の第２の側２２ｂに固定取り付けされ、第３のレール３２は第２のレール２８に対して可動である。保持物体３６はハードディスク、パワーディストリビューションユニット及び／又は他の電子部品を含むことができる。保持物体３６は、第１のスライドレールアセンブリ２４と第２のスライドレールアセンブリ３０との間に取り付けられている。保持物体３６はラック２０に対して、スライドレールアセンブリ２４の第１のレール２６及び第２のスライドレールアセンブリ３０の第３のレール３２を通じて閉鎖位置（例えば保持物体の前部Ｐ０がラック２０の前側ポストに隣接する位置）と伸長位置（図８及び図９参照）との間で動かすことができる。ラックシステムは第１のケーブル管理装置３８及び第２のケーブル管理装置４４をさらに含む。第１のケーブル管理装置３８は第１のケーブル管理アーム４０と、第１のケーブル管理アーム４０に対して可動な第２のケーブル管理アーム４２とを含む。第２のケーブル管理装置４４は第３のケーブル管理アーム４６と、第３のケーブル管理アーム４６に対して可動な第４のケーブル管理アーム４８とを含むことが好ましい。
【００１１】
ラックシステムは、第１のケーブル管理装置３８及び第２のケーブル管理装置４４をそれぞれ支持するように構成された少なくとも１つの第１の支持部材５０及び少なくとも１つの第２の支持部材５２をさらに含むことが好ましい。
【００１２】
ラックシステムは、第１のレール２６、第２のレール２８、第４のレール３４及び第３のレール３２にそれぞれ接続された第１の接続フレーム５４、第２の接続フレーム５６、第３の接続フレーム５８及び第４の接続フレーム６０をさらに含む。第１の接続フレーム５４、第２の接続フレーム５６、第３の接続フレーム５８及び第４の接続フレーム６０のそれぞれは、第１のスライドレールアセンブリ２４（又は第２のスライドレールアセンブリ３０）よりも高くなるように上方に延びている。具体的には、第１の接続フレーム５４は上側部５５ａ及び下側部５５ｂを有する。第２の接続フレーム５６は上側部５７ａ及び下側部５７ｂを有する。第３の接続フレーム５８は上側部５９ａ及び下側部５９ｂを有する。第４の接続フレーム６０は上側部６１ａ及び下側部６１ｂを有する。第１の接続フレーム５４、第２の接続フレーム５６、第３の接続フレーム５８及び第４の接続フレーム６０は第１のレール２６、第２のレール２８、第４のレール３４及び第３のレール３２にそれぞれ固定接続されていることが好ましい。したがって、第１の接続フレーム５４は第１のレール２６の一部として見ることができ、第２の接続フレーム５６は第２のレール２８の一部として見ることができ、第３の接続フレーム５８は第４のレール３４の一部として見ることができ、第４の接続フレーム６０は第３のレール３２の一部として見ることができる。
【００１３】
具体的には、第１のケーブル管理アーム４０は、保持物体３６及び第１のスライドレールアセンブリ２４の第１のレール２６の一方に第１の接続部材６２を通じて取り外し可能に接続されている。第１の接続部材６２は第１のケーブル管理アーム４０に可動に接続されている。本実施形態では、第１のケーブル管理アーム４０は、第１のケーブル管理アーム４０が第１のレール２６に取り付けられるとともに第１のレール２６の上に位置するように第１の接続部材６２を通じて第１の接続フレーム５４の上側部５５ａに取り外し可能に接続されている。別の実施形態では、第１の接続フレーム５４を保持物体３６に設けることができるが、本発明はこのような構成に限定されない。
【００１４】
第１のケーブル管理アーム４０及び第２のケーブル管理アーム４２は伸長（図８及び図９参照）又は折り畳み（図１参照）が可能である。第２のケーブル管理アーム４２はラック２０及び第１のスライドレールアセンブリ２４の第２のレール２８の一方に第２の接続部材６４を通じて取り外し可能に接続されている。第２の接続部材６４は第２のケーブル管理アーム４２に可動に接続されている。本実施形態では、第２のケーブル管理アーム４２は、第２のケーブル管理アーム４２が第２のレール２８に取り付けられるとともに第２のレール２８の上に位置するように第２の接続部材６４を通じて第２の接続フレーム５６の上側部５７ａに取り外し可能に接続されている。別の実施形態では、第２の接続フレーム５６はラック２０に設けることができるが、本発明はこのような構成に限定されない。
【００１５】
少なくとも１つの支持部材５０の第１の接続部５１は、少なくとも１つの第１の支持部材５０が第４のレール３４に取り付けられるとともに第４のレール３４の上に位置するように第３の接続フレーム５８の上側部５９ａに取り外し可能に接続されている。本実施形態では、少なくとも１つの第１の支持部材５０は互いに対して引っ込めることが可能な２つの支持要素を有する。
【００１６】
同様に、第３のケーブル管理アーム４６は、保持物体３６及び第２のスライドレールアセンブリ３０の第３のレール３２の一方に第３の接続部材６６を通じて取り外し可能に接続されている。第３の接続部材６６は第３のケーブル管理アーム４６に可動に接続されている。本実施形態では、第３のケーブル管理アーム４６は、第３のケーブル管理アーム４６が第３のレール３２に取り付けられるように第３の接続部材６６を通じて第４の接続フレーム６０の下側部６１ｂに取り外し可能に接続されている。別の実施形態では、第４の接続フレーム６０は保持物体３６に設けることができるが、本発明はこのような構成に限定されない。
【００１７】
第３のケーブル管理アーム４６及び第４のケーブル管理アーム４８は伸長（図８及び図９参照）又は折り畳み（図１参照）が可能である。第４のケーブル管理アーム４８はラック２０及び第２のスライドレールアセンブリ３０の第４のレール３４の一方に第４の接続部材６８を通じて取り外し可能に接続されている。第４の接続部材６８は第４のケーブル管理アーム４８に可動に接続されている。本実施形態では、第４のケーブル管理アーム４８は、第４のケーブル管理アーム４８が第４のレール３４に取り付けられるように第４の接続部材６８を通じて第３の接続フレーム５８の下側部５９ｂに取り外し可能に接続されている。別の実施形態では、第３の接続フレーム５８はラック２０に設けることができるが、本発明はこのような構成に限定されない。
【００１８】
少なくとも１つの第２の支持部材５２の第２の接続部５３は、少なくとも１つの第２の支持部材５２が第２のレール２８に取り付けられるように第２の接続フレーム５６の下側部５７ｂに取り外し可能に接続されている。本実施形態では、少なくとも１つの第２の支持部材５２は互いに対して引っ込め可能な２つの支持要素を有する。
【００１９】
上記の構成によれば、第１のケーブル管理装置３８は第２のケーブル管理装置４４の上に配置されている。即ち、ラックシステムは、保持物体３６の後ろのケーブルを管理又は収容するように構成されるとともに上下に配置された２つのケーブル管理装置３８、４４を含む。第１のスライドレールアセンブリ２４及び第１のケーブル管理装置３８は接続アセンブリを形成する。接続アセンブリは第２のスライドレールアセンブリ３０及び第２のケーブル管理装置４４をさらに含むことが好ましい。
【００２０】
加えて、第２のスライドレールアセンブリ３０の第４のレール３４及び第１のスライドレールアセンブリ２４の第２のレール２８は連結部材６９を通じて互いに接続されている。連結部材６９の２つの側は第２の接続フレーム５６及び第３の接続フレーム５８にそれぞれ接続されるとともに第２の接続フレーム５６の上側部及び第３の接続フレーム５８の上側部に隣接することが好ましい。
【００２１】
図３及び図４に示すように、第１のケーブル管理装置３８の第１のケーブル管理アーム４０及び第２のケーブル管理アーム４２は接続ベース７０を通じて互いに枢結されている。具体的には、第１のケーブル管理アーム４０及び第２のケーブル管理アーム４２は、接続ベース７０が第１のケーブル管理アーム４０と第２のケーブル管理アーム４２との間に配置されるように、それぞれピン７２ａ、７２ｂを通じて接続ベース７０に枢結されている。第１のケーブル管理アーム４０及び第２のケーブル管理アーム４２は、互いに離間するとともに保持物体３６の関連ケーブルを収容するように構成された複数のケーブル収容ユニット７４を備える。
【００２２】
さらに、第１のケーブル管理装置３８は、第１の接続部材６２と第１のケーブル管理アーム４０との相対的な動きを限られた範囲に制限するために第１の接続部材６２及び第１のケーブル管理アーム４０の少なくとも一方と当接するように構成されたブロック部材７５をさらに含む。第１の接続部材６２は第１のシャフト部材７６により第１のケーブル管理アーム４０の一端に枢結されていることが好ましい。ブロック部材７５は第１のシャフト部材７６に隣接している。例えば、ブロック部材７５は第１のシャフト部材７６の一方側に取り付けられた追加の部品である。ブロック部材７５は、第１の接続部材６２及び第１のケーブル管理アーム４０の一方が境界位置に動かされた場合に第１の接続部材６２及び第１のケーブル管理アーム４０の一方と当接するように構成された少なくとも１つの制限部を有する。本実施形態では、ブロック部材７５はそれぞれ第１の接続部材６２及び第１のケーブル管理アーム４０と当接するように構成された第１の制限部７７ａ及び第２の制限部７７ｂを有する。同様に、第２の接続部材６４は第２のシャフト部材７８により第２のケーブル管理アーム４２の一端に枢結されている。他方、少なくとも１つの第１の支持部材５０は第１のケーブル管理装置３８の底部を支持するように構成されている。本実施形態では、少なくとも１つの第１の支持部材５０は、第１のケーブル管理アーム４０及び第２のケーブル管理アーム４２を支持するために接続ベース７０の底部に可動に接続されている。さらに、第２のケーブル管理アーム４２の構成は第１のケーブル管理アーム４０の構成と実質的に同一である。簡略化のために、第２のケーブル管理アーム４２の構成についてのさらになる説明は省略する。
【００２３】
図５、図６及び図７に示すように、ブロック部材７５の２つの制限部７７ａ、７７ｂはそれぞれ第１の接続部材６２及び第１のケーブル管理アーム４０と当接するように構成されている。そのような構成によれば、第１の接続部材６２が第１のケーブル管理アーム４０に対して回転された場合に、第１の接続部材６２と第１のケーブル管理アーム４０との間の角度を制限できる。
【００２４】
本実施形態では、第１の接続部材６２及び第１の制限部７７ａは互いに対応する第１の構造８０及び第２の構造８２をそれぞれ有する。第１の構造８０及び第２の構造８２はそれぞれ凸構造及び凹構造（又は孔）又はその逆であってもよいが、本発明はこのような構成に限定されない。凹構造（又は孔）は、第１の接続部材６２の凸構造がブロック部材７５の妨げになるのを防止するために凸構造を通す。
【００２５】
そのような構成によれば、第１の接続部材６２が第１のケーブル管理アーム４０に対して、回転方向Ｒに沿って境界位置等の所定の位置に回転されると、第１の接続部材６２は、第１の接続部材６２が第１のケーブル管理アーム４０に対して回転方向Ｒに沿ってさらに回転しないように（図７に示すように）ブロック部材７５の第１の制限部７７ａ及び第２の制限部７７ｂを通じて第１のケーブル管理アーム４０と当接する。即ち、ブロック部材７５は第１の接続部材６２と第１のケーブル管理アーム４０との相対的な動きを限られた範囲に制限する。
【００２６】
図８に示すように、第１のレール２６及び第３のレール３２が第２のレール２８及び第４のレール３４に対してそれぞれ外方に延びている場合、保持物体３６は第１のレール２６及び第３のレール３２を通じてラック２０に対して第１の伸長位置（例えば保持物体３６の中間部Ｐ１がラック２０の前側ポストに隣接する位置）に動かされる。
【００２７】
第１のケーブル管理装置３８の第１のケーブル管理アーム４０及び第２のケーブル管理アーム４２は徐々に伸長される。少なくとも１つの第１の支持部材５０は第１のケーブル管理アーム４０及び第２のケーブル管理アーム４２の一方を支持するように構成されている。同様に、第２のケーブル管理装置４４の第３のケーブル管理アーム４６及び第４のケーブル管理アーム４８も徐々に伸長する。少なくとも１つの第２の支持部材５２は第３のケーブル管理アーム４６及び第４のケーブル管理アーム４８の一方を支持するように構成されている。
【００２８】
図９に示すように、第１のレール２６及び第３のレール３２がそれぞれ第２のレール２８及び第４のレール３４に対して外方にさらに伸長されると、保持物体３６は第１のレール２６及び第３のレール３２を通じてラック２０に対して第２の伸長位置（例えば保持物体３６の後部Ｐ２がラック２０の前側ポストに隣接する位置）にさらに動かされる。
【００２９】
加えて、第１のケーブル管理装置３８の第１のケーブル管理アーム４０及び第２のケーブル管理アーム４２はさらに伸長される。同様に、第２のケーブル管理装置４４の第３のケーブル管理アーム４６及び第４のケーブル管理アーム４８もさらに伸長される。
【００３０】
第１のケーブル管理装置３８及び／又は第２のケーブル管理装置４４が伸長される場合、連結部材６９は第２のレール２８と第４のレール３４との間の構造安定性を改善し構造強度を向上させることができる。
【００３１】
第１のスライドレールアセンブリ２４及び第２のスライドレールアセンブリ３０のそれぞれは第２のレール２８に対する第１のレール２６の移動距離及び第４のレール３４に対する第３のレール３２の移動距離をそれぞれ伸長する中間レール２７をさらに含むことが好ましい。
【００３２】
したがって、本発明は以下のように特徴付けられる。
【００３３】
１）接続部材とケーブル管理アームとの相対的な動きをケーブル管理装置のブロック部材により制限できる。
【００３４】
２）第１のケーブル管理装置及び／又は第２のケーブル管理装置が伸長又は折り畳まれている場合、連結部材は第２のレールと第４のレールとの間の構造安定性を改善し構造強度を改善することができる。
【００３５】
当業者であれば、本発明の教示を維持しながら多くの変更及び改良が装置及び方法に加えられ得ることに容易に気付く。従って、上記の開示は、添付の特許請求の範囲によってのみ限定されると解釈すべきである。
【符号の説明】
【００３６】
２０  ラック
２２ａ  第１の側
２２ｂ  第２の側
２４  第１のスライドレールアセンブリ
２６  第１のレール
２７  中間レール
２８  第２のレール
３０  第２のスライドレールアセンブリ
３２  第３のレール
３４  第４のレール
３６  保持物体
３８  第１のケーブル管理装置
４０  第１のケーブル管理アーム
４２  第２のケーブル管理アーム
４４  第２のケーブル管理装置
４６  第３のケーブル管理アーム
４８  第４のケーブル管理アーム
５０  第１の支持部材
５１  第１の接続部
５２  第２の支持部材
５３  第２の接続部
５４  第１の接続フレーム
５６  第２の接続フレーム
５８  第３の接続フレーム
６０  第４の接続フレーム
６２  第１の接続部材
６４  第２の接続部材
６６  第３の接続部材
６８  第４の接続部材
６９  連結部材
７０  接続ベース
７２ａ、７２ｂ  ピン
７４  ケーブル収容ユニット
７５  ブロック部材
７６  第１のシャフト部材
７７ａ  第１の制限部
７７ｂ  第２の制限部
７８  第２のシャフト部材
８０  第１の構造
８２  第２の構造
【図１】
2019037115.tif 000003
【図２】
2019037115.tif 000004
【図３】
2019037115.tif 000005
【図４】
2019037115.tif 000006
【図５】
2019037115.tif 000007
【図６】
2019037115.tif 000008
【図７】
2019037115.tif 000009
【図８】
2019037115.tif 000010
【図９】
2019037115.tif 000011